(57)【要約】【課題】複数の表示領域で並行して互いに異なる機能に係る表示をそれぞれ選択的に行わせることが可能な場合に、各表示領域の表示内容の機能種別を効率良く示すことが可能なアナログ電子時計を提供する。【解決手段】複数の表示領域にそれぞれ対応する指針と、所定の機能表示と各表示領域の表示内容の機能種別を示す表示とを選択的に行う機能表示部と、少なくとも各表示領域の指針ごとに個別動作させる指針駆動手段と、機能表示部を動作させる機能表示駆動手段と、機能種別とその表示を行わせる表示領域とを対応付けた表示設定を記憶する記憶手段と、表示設定の変更時に各表示領域の表示内容を変更させる表示種別変更制御手段と、各表示領域の表示内容の機能種別を機能表示部に順番に示させると共に、示されている機能種別に係る表示を行う表示領域の指針に所定の報知動作を行わせる表示種別報知制御手段とを備える。【選択図】図１
2014182047.tif 000002
【特許請求の範囲】
【請求項１】
複数の所定数の表示領域に対応してそれぞれ設けられた指針と、
所定の機能に係る表示と、前記表示領域に表示されている内容の機能種別を示す表示とを選択的に行う機能表示部と、
少なくとも前記所定数の表示領域に対応する前記指針ごとに個別に動作させる指針駆動手段と、
前記機能表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で前記機能表示駆動手段を動作させて、前記所定数の表示領域でそれぞれ表示されている内容の機能種別を前記機能表示部に順番に示させると共に、前記指針駆動手段を動作させて、前記機能表示部が示している機能種別に係る表示を行っている前記表示領域に対応する前記指針のうち少なくとも一本に所定の報知動作を行わせる表示種別報知制御手段と
を備えることを特徴とするアナログ電子時計。
【請求項２】
ユーザ操作を受け付ける操作手段と、
当該操作手段への入力操作に応じて前記記憶手段に記憶された前記表示設定を変更する表示種別変更設定手段と
を備えることを特徴とする請求項１記載のアナログ電子時計。
【請求項３】
前記表示種別変更設定手段は、前記操作手段への入力操作に応じて、前記表示設定として記憶された前記所定数の表示領域と、前記所定数の機能種別との対応関係を入れ換えることを特徴とする請求項２記載のアナログ電子時計。
【請求項４】
前記所定の条件には、前記表示種別変更制御手段により前記所定数の表示領域における表示内容が変更されることが含まれることを特徴とする請求項１〜３の何れか一項に記載のアナログ電子時計。
【請求項５】
ユーザ操作を受け付ける操作手段を備え、
前記所定の条件には、当該操作手段への所定の入力操作が検出されることが含まれる
ことを特徴とする請求項１〜４の何れか一項に記載のアナログ電子時計。
【請求項６】
前記所定数の表示領域は、一の表示盤上に形成され、当該所定数の表示領域のうち少なくとも二つには、同一の目盛が設けられていることを特徴とする請求項１〜５の何れか一項に記載のアナログ電子時計。
【請求項７】
前記機能表示部は、回動可能に設けられた機能指針と、当該機能指針で指し示される複数の機能標識とを有することを特徴とする請求項１〜６の何れか一項に記載のアナログ電子時計。
【発明の詳細な説明】
【技術分野】
【０００１】
この発明は、アナログ電子時計に関する。
【背景技術】
【０００２】
従来、時刻表示機能に加えて、種々の機能に係る表示を行わせることが可能なアナログ電子時計がある。このような複数機能に係る表示が可能なアナログ電子時計としては、時刻表示に用いられる指針（時刻指針）に一時的に他の機能に係る表示を行わせるものと、時刻指針とは別個に他の機能に係る表示を行わせる指針（機能針）を備えているものとがある。
【０００３】
このような複数機能に係る表示を行うことが可能なアナログ電子時計では、当該機能表示を行う指針がどの機能に係る表示を行っているのかを示す指針（モード針）が更に設けられているものがある（例えば、特許文献１）。
【０００４】
しかしながら、複数の指針がそれぞれ並列に異なる機能に係る表示を行う場合には、何れの指針がどの機能に係る表示を行っているのかをユーザが分かり難いという問題がある。そこで、特許文献２には、表示させる機能に係る目盛を指針の一方の端部で指し示させると同時に、当該指針の他方の端部で当該目盛が示す機能種別を指し示させるように機能種別に係る標識を設ける技術が開示されている。
【先行技術文献】
【特許文献】
【０００５】
【特許文献１】実用新案登録第２６０１２２５号公報
【特許文献２】特開２０１０−６０３５５号公報
【発明の概要】
【発明が解決しようとする課題】
【０００６】
しかしながら、複数の表示領域に示される表示内容に係る機能種別が各々変更可能な場合には、それぞれの表示領域で何れの機能に係る表示を行わせているかをユーザが知得し難い。そして、このような場合に、従来のように当該表示領域の数に合わせてモード針を複数設けると、サイズや電力消費の増大を招くという課題がある。
【０００７】
この発明の目的は、複数の表示領域で並行して、互いに異なる機能に係る表示をそれぞれ選択的に行わせることが可能な場合に、各表示領域で何れの機能に係る表示が行われているかを効率良く表示させることが可能なアナログ電子時計を提供することにある。
【課題を解決するための手段】
【０００８】
本発明は、上記目的を達成するため、
複数の所定数の表示領域に対応してそれぞれ設けられた指針と、
所定の機能に係る表示と、前記表示領域に表示されている内容の機能種別を示す表示とを選択的に行う機能表示部と、
少なくとも前記所定数の表示領域に対応する前記指針ごとに個別に動作させる指針駆動手段と、
前記機能表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で前記機能表示駆動手段を動作させて、前記所定数の表示領域でそれぞれ表示されている内容の機能種別を前記機能表示部に順番に示させると共に、前記指針駆動手段を動作させて、前記機能表示部が示している機能種別に係る表示を行っている前記表示領域に対応する前記指針のうち少なくとも一本に所定の報知動作を行わせる表示種別報知制御手段と
を備えることを特徴とするアナログ電子時計である。
【発明の効果】
【０００９】
本発明に従うと、複数の表示領域で並行して、互いに異なる機能に係る表示をそれぞれ選択的に行わせることが可能なアナログ電子時計において、各表示領域で何れの機能に係る表示が行われているかを効率良く表示させることが出来るという効果がある。
【図面の簡単な説明】
【００１０】
【図１】本発明の実施形態のアナログ電子時計を示す平面図である。
【図２】アナログ電子時計の内部構成を示すブロック図である。
【図３】本実施形態のアナログ電子時計において切り替え可能な表示モードを示す図表である。
【図４】各表示モードにおける表示状態の例を示すアナログ電子時計の平面図である。
【図５】機能表示位置確認処理の制御手順を示すフローチャートである。
【図６】機能表示位置変更処理の制御手順を示すフローチャートである。
【発明を実施するための形態】
【００１１】
以下、本発明の実施の形態を図面に基づいて説明する。
図１は、本発明の実施形態に係るアナログ電子時計を示す平面図である。
【００１２】
本実施形態のアナログ電子時計１００は、図示略のバンドにより腕に装着可能な腕時計型のものであり、ケーシング２の内部に設けられた表示盤３と、表示盤３の上面を覆う図示略の風防ガラスとの間に、複数の指針が回転可能に配置されている。また、ケーシング２の側面部には、りゅうず３８１、及び、二つの押しボタンスイッチ３８２、３８３がケーシング２を貫通して設けられている。
【００１３】
複数の指針のうち、時針５１、分針５２、及び、秒針５３は、表示盤３の略中央に設けられた同一の回転軸の周りを回転する。以降、時針５１、分針５２、及び、秒針５３による表示をセンター表示と記し、当該センター表示に係る目盛が設けられた表示盤３上の領域、及び、時針５１、分針５２、並びに、秒針５３により指し示される領域をセンター表示領域と記す。表示盤３には、１２時方向、６時方向、及び、９時方向にそれぞれ表示領域４、５、６が設けられ、表示領域４の内部には、第一短小針５４及び第一長小針５５が回転可能に配置され、表示領域５の内部には、第二短小針５６及び第二長小針５７が回転可能に配置され、また、表示領域６の内部には、機能針５８（機能指針）が回転可能に配置されている。表示領域６と機能針５８により機能表示部が構成される。
一方、表示盤３の下面には、回転円板である日車５９が設けられ、当該日車５９の一部が表示盤３の３時方向に設けられた小窓７から露出されて日付の表示が行われる。
【００１４】
ここで、第一短小針５４は、第一長小針５５より短く形成されており、第二短小針５６は、第二長小針５７より短く形成されている。即ち、第一短小針５４及び第二短小針５６は、センター表示領域における時針５１に対応し、また、第一長小針５５及び第二長小針５７は、センター表示領域における分針５２に対応するものとして用いられることが出来る。
【００１５】
表示盤３には、センター表示領域の回転軸に対する円周上に１時から１２時の各方向を示す時字と、０秒から５９秒の各秒を示す秒目盛とがそれぞれ設けられている。また、これらの時字及び秒目盛が設けられた円周の更に外側、表示盤３の周縁部には、世界時計に係る表示を行う際に選択可能な都市名が略称で記載されている。表示領域４、５には、同一の目盛が設けられている。本実施形態のアナログ電子時計１００では、表示領域４、５の周縁部に二重の同心円状、即ち、内側に時字が設けられ、外側に各秒を示す目盛が設けられた構成となっている。従って、センター表示領域及び表示領域４、５の３つの表示領域（所定数の表示領域）のうち、何れであっても時刻の表示や秒値の表示を行わせることが出来る。
【００１６】
表示領域６には、左側半分に日曜日から土曜日の各曜日を示す標識が設けられ、右側に本実施形態のアナログ電子時計１００が実施可能な機能を示す標識（機能標識）、即ち、ストップウォッチ機能を示す標識「ＳＴＷ」、通常の現在時刻表示機能を示す標識「ＴＭ」及び、世界時計機能を示す標識「ＷＴ」が設けられている。
【００１７】
図２は、本実施形態のアナログ電子時計１００の内部構成を示すブロック図である。
【００１８】
このアナログ電子時計１００は、ＣＰＵ（Central Processing Unit）３１（表示種別変更制御手段、表示種別報知制御手段、表示種別変更設定手段）と、ＲＯＭ（Read Only Memory）３２と、ＲＡＭ（Random Access Memory）３３（記憶手段）と、発振回路３４と、分周回路３５と、時刻計数回路３６と、電源部３７と、操作部３８（操作手段）と、モータ駆動回路３９と、輪列機構６１〜６９と、ステッピングモータ７１〜７３、７５、７７〜７９と、時針５１と、分針５２と、秒針５３と、第一短小針５４と、第一長小針５５と、第二短小針５６と、第二長小針５７と、機能針５８と、日車５９などを備える。
【００１９】
ステッピングモータ７１〜７３は、それぞれ、輪列機構６１〜６３を介して時針５１、分針５２、及び、秒針５３を独立に回転動作させる。ステッピングモータ７５は、輪列機構６５を介して第一長小針５５を回転動作させ、また、輪列機構６５に連動する輪列機構６４を介して第一短小針５４を回転動作させる。ステッピングモータ７７は、輪列機構６７を介して第二長小針５７を回転動作させ、また、輪列機構６７に連動する輪列機構６６を介して第二短小針５６を回転動作させる。ステッピングモータ７８は、輪列機構６８を介して機能針５８を回転動作させ、ステッピングモータ７９は、輪列機構６９を介して日車５９を回転動作させる。これらのうち、ステッピングモータ７１〜７３、７５、７７により指針駆動手段が構成され、ステッピングモータ７８により機能表示駆動手段が構成される。
【００２０】
ステッピングモータ７１〜７３、７５、７７〜７９は、モータ駆動回路３９から出力される駆動パルスにより駆動されて、所定の角度（例えば、１８０度）ずつステップ回転する。輪列機構６１〜６９は、それぞれ、複数の歯車が噛み合わされて所定のギア比で回転する構成であり、輪列機構６１〜６３、６５、６７〜６９におけるそれぞれ最後の歯車は、ステッピングモータ７１〜７３、７５、７７〜７９のステップ回転に連動してそれぞれ所定角度の回転動作を時針５１、分針５２、秒針５３、第一長小針５５、第二長小針５７、機能針５８、及び、日車５９に伝える。ここでは、時針５１、分針５２、第一長小針５５、第二長小針５７、及び、機能針５８は、一ステップ当たり１度回転移動し、秒針５３は、一ステップ当たり６度回転移動し、日車５９は、一ステップ当たり１／１２０度回転移動する。
【００２１】
輪列機構６４、６６は、輪列機構６５、６７の各歯車の回転にそれぞれ連動して回転する歯車を備え、第一短小針５４及び第二短小針５６に所定角度の回転動作を伝える。第一短小針５４と第二短小針５６は、それぞれ、第一長小針５５及び第二長小針５７の回転に対し１：１２の比で回転する。即ち、第一長小針５５及び第二長小針５７が表示領域４、５で回転軸の周りをそれぞれ一周（３６０度回転）する間に、第一短小針５４及び第二短小針５６は、３０度回転する。
【００２２】
ＣＰＵ３１は、各種演算処理を行い、アナログ電子時計１００の動作全体を統括制御する。ＲＯＭ３２は、アナログ電子時計１００の動作に係る制御プログラムや設定データを格納する。ＲＡＭ３３は、ＣＰＵ３１に作業用のメモリ空間を提供し、一時データやユーザの入力などにより更新可能な設定データを記憶する揮発性メモリである。この更新可能な設定データには、３つの表示領域に各々表示させる内容の機能種別に係る表示設定が含まれる。ユーザによる更新が可能な設定データは、ＲＡＭ３３の他、フラッシュメモリなどの不揮発性メモリを備えて読み書き可能とされても良い。
【００２３】
モータ駆動回路３９は、ＣＰＵ３１から入力された制御信号に応じてステッピングモータ７１〜７３、７５、７７〜７９をそれぞれ駆動するための駆動パルスを適切なタイミングで出力する。
【００２４】
発振回路３４は、所定の周波数信号を生成する回路であり、ここでは、例えば、水晶発振回路が用いられている。分周回路３５は、この発振回路３４から入力された信号を、アナログ電子時計１００で用いる各種周波数の信号に分周してＣＰＵ３１及び時刻計数回路３６に出力する。時刻計数回路３６は、分周回路３５から入力された信号を計数し、初期時刻に加算していくことで現在時刻を計数する。
【００２５】
電源部３７は、アナログ電子時計１００の各部に電力を供給する。この電源部３７としては、例えば、太陽光電池と二次電池との組み合わせであり、表示盤３に設けられた図示略のソーラーパネルを用いて発電された電力を各部に供給したり、二次電池に蓄電したりする。
【００２６】
操作部３８は、りゅうず３８１及び押しボタンスイッチ３８２、３８３を備え、ユーザによるこれらりゅうず３８１、押しボタンスイッチ３８２、３８３の操作を電気信号に変換してＣＰＵ３１に出力する。押しボタンスイッチ３８２、３８３は、例えば、ストップウォッチ機能に係る時間計測の開始、終了やリセットといった操作に用いられる。また、本実施形態のアナログ電子時計１００では、りゅうず３８１は、二段階の引き出し動作が可能となっており、当該引き出しの段階、回転動作、及び、押しボタンスイッチ３８２、３８３の押下動作との組み合わせにより、例えば、世界時計表示に係る表示対象都市を切り替える動作が行われる。
【００２７】
次に、本実施形態のアナログ電子時計１００における機能表示について説明する。
【００２８】
本実施形態のアナログ電子時計１００では、センター表示領域、表示領域４、及び、表示領域５の３箇所で、予め設定されたホーム都市における現在時刻表示、世界時計表示、及び、ストップウォッチ表示の３機能に係る表示が同時並列的に行われる。また、表示領域６では、通常、曜日の表示が行われ、センター表示、表示領域４、表示領域５の表示内容を確認する際、又は、表示内容（表示位置）を切り替える際には、機能針５８が各機能を示す標識を順に指し示す。
【００２９】
現在時刻表示、世界時計表示、及び、ストップウォッチ表示の３機能に係る表示が行われる表示領域は、ユーザによる操作部３８への所定の入力操作に応じて切り替えられる。
【００３０】
図３は、アナログ電子時計１００において切り替え可能な表示モードを示す図表である。また、図４は、各表示モードにおける表示状態の例を示すアナログ電子時計１００の平面図である。
【００３１】
このアナログ電子時計１００では、図３に示すように、モードＡ、モードＢ、又は、モードＣの何れかの表示状態の間で順番に切り替えが行われる。通常状態では、図４（ａ）に示すように、モードＡ、即ち、現在時刻表示がセンター表示で行われ、世界時計表示が表示領域４で行われ、ストップウォッチ表示が表示領域５で行われるようになっている。ここでは、ホーム都市として設定されている東京における現在時刻１５時３７分５２秒がセンター表示で指し示され、世界時計としてニューヨーク（東京との時差は、−１４時間）における時刻１時３７分（５０秒〜５９秒）が表示領域４で指し示され、ストップウォッチのリセット状態を示す０分０秒が表示領域５で指し示されている。
【００３２】
次に、操作部３８への所定の入力操作により表示モードが一回切り替えられると、モードＢの表示状態に移行し、図４（ｂ）に示すように、世界時計表示がセンター表示で行われ、ストップウォッチ表示が表示領域４で行われ、現在時刻表示が表示領域５で行われる。操作部３８への所定の入力操作により表示モードが再度切り替えられると、モードＣの表示状態に移行し、図４（ｃ）に示すように、ストップウォッチ表示がセンター表示で行われ、現在時刻表示が表示領域４で行われ、世界時刻表示が表示領域５で行われる。更にもう一度操作部３８への所定の入力操作が行われて表示モードが切り替えられると、モードＡの表示状態に復帰する。
【００３３】
このように、各表示領域における表示内容が切り替えられた場合、特に、切り替えてから暫く時間が経過した場合や、誤操作による切り替えが行われた場合などには、どの表示領域で何れの表示がなされているのかをユーザが認識し難くなる。そこで、本実施形態のアナログ電子時計１００では、操作部３８へのユーザによる所定の入力操作（所定の条件）により、各表示領域の表示内容の機能種別を示す表示を行わせることが出来る。
【００３４】
図５は、ＣＰＵ３１が実行する機能表示位置確認処理の制御手順を示すフローチャートである。
【００３５】
この機能表示位置確認処理は、ユーザによる操作部３８への所定の入力操作、例えば、りゅうず３８１を一段階引き出す操作により開始される。
機能表示位置確認処理が開始されると、ＣＰＵ３１は、先ず、現在各表示領域に表示されている表示内容の機能種別に係る情報を取得する（ステップＳ１０１）。
【００３６】
次いで、ＣＰＵ３１は、モータ駆動回路３９に制御信号を出力して機能針５８を曜日表示位置から標識「ＳＴＷ」の位置に移動させる（ステップＳ１０５）。ＣＰＵ３１は、モータ駆動回路３９に制御信号を出力して、ストップウォッチ機能に係る表示を行っている表示領域の指針に所定の報知動作を行わせる（ステップＳ１０６）。具体的には、所定の報知動作として、ＣＰＵ３１は、動作対象の指針を現在位置から数ステップ（例えば、５ステップ）正転方向（時計回り方向）に早送りさせた後に元の位置へ戻し、更に、逆転方向（反時計回り方向）に数ステップ早送り移動させた後に元の位置に戻す。このとき、センター表示については、独立して回転動作される時針５１、分針５２、秒針５３のうち何れか一本、例えば、秒針５３に当該早送り移動を行わせれば良い。
【００３７】
ＣＰＵ３１は、モータ駆動回路３９に制御信号を出力して機能針５８を標識「ＴＭ」の位置に移動させる（ステップＳ１０７）。ＣＰＵ３１は、モータ駆動回路３９に制御信号を出力して、現在時刻表示を行っている表示領域の指針を現在位置から数ステップ正転方向に早送り移動させた後に元の位置へ戻し、更に、逆転方向に数ステップ早送り移動させた後に元の位置へ戻す（ステップＳ１０８）。
【００３８】
更に、ＣＰＵ３１は、モータ駆動回路３９に制御信号を出力して機能針５８を標識「ＷＴ」の位置に移動させる（ステップＳ１０９）。ＣＰＵ３１は、モータ駆動回路３９に制御信号を出力して、世界時計表示を行っている表示領域の指針を現在位置から数ステップ正転方向に早送り移動させた後に元の位置へ戻し、更に、逆転方向に数ステップ早送り移動させた後に元の位置へ戻す（ステップＳ１１０）。
【００３９】
ＣＰＵ３１は、モータ駆動回路３９に制御信号を出力して、機能針５８を当初の曜日表示位置に移動させる（ステップＳ１１２）。そして、ＣＰＵ３１は、機能表示位置確認処理を終了する。
【００４０】
図６は、ＣＰＵ３１が実行する機能表示位置変更処理の制御手順を示すフローチャートである。
【００４１】
この機能表示位置変更処理は、ユーザにより操作部３８に機能表示位置の変更設定を行う操作入力がなされた場合に開始される。この機能表示位置変更処理では、機能表示位置確認処理におけるステップＳ１０１の処理の代わりにステップＳ１０２〜Ｓ１０４の処理が行われ、また、ステップＳ１１１の処理が追加されている。その他の処理は、機能表示位置確認処理と同一であり、同一の符号を付して説明を省略する。
【００４２】
機能表示位置変更処理が開始されると、ＣＰＵ３１は、操作部３８から表示位置変更に係る操作、例えば、一段階引き出されたりゅうず３８１の回転操作の検出信号が入力されたか否かを判別する（ステップＳ１０２）。入力されたと判別された場合には（ステップＳ１０２で“ＹＥＳ”）、ＣＰＵ３１は、機能表示位置を変更する設定を行う（ステップＳ１０３）。それから、ＣＰＵ３１の処理は、ステップＳ１０２に戻る。
【００４３】
一方、操作部３８から表示位置変更に係る操作の検出信号が入力されていないと判別された場合には（ステップＳ１０２で“ＮＯ”）、ＣＰＵ３１は、当該表示位置変更に係る操作が検出されずに所定時間以上経過したか、又は、操作部３８から表示位置変更処理の終了に係る操作の検出信号が入力されたかを判別する（ステップＳ１０４）。何れにも該当しないと判別された場合には（ステップＳ１０４で“ＮＯ”）、ＣＰＵ３１の処理は、ステップＳ１０２に戻る。
【００４４】
ステップＳ１０４の判別処理において、何れかの条件に該当すると判別された場合には（ステップＳ１０４で“ＹＥＳ”）、ＣＰＵ３１は、ステップＳ１０５〜Ｓ１１０の処理を順番に実行する。それから、ＣＰＵ３１は、該当した条件が終了操作、例えば、一段階引き出されたりゅうず３８１を押し戻す操作の検出であったか否かを判別する（ステップＳ１１１）。終了操作の検出ではないと判別された場合には（ステップＳ１１１で“ＮＯ”）、ＣＰＵ３１の処理は、ステップＳ１０２に戻る。
【００４５】
終了操作の検出であったと判別された場合には（ステップＳ１１１で“ＹＥＳ”）、ＣＰＵ３１は、ステップＳ１１２の処理を実行し、その後、機能表示位置変更処理を終了する。
【００４６】
以上のように、本実施形態のアナログ電子時計１００は、表示盤３にセンター表示領域の他、表示領域４、５を有し、表示領域ごとにそれぞれ指針が設けられ、指針５１〜５７は、表示領域ごとに異なるステッピングモータ７１〜７３、７５、７７により独立に回転動作される。また、表示盤３の９時方向には、表示領域６が設けられて、機能針５８により曜日表示動作と各表示領域で表示されている内容の表示種別を示すための表示動作とが選択的に実行可能となっている。このアナログ電子時計１００では、センター表示領域、表示領域４、５に現在時刻表示機能、世界時計機能、及び、ストップウォッチ機能に係る各表示をそれぞれ行わせることが出来、これらの表示位置を入れ換えることが出来る。この表示位置に係る設定は、ＲＡＭ３３に記憶されて、この設定が変更されることで表示位置が変更される。そして、これらの表示領域と、当該表示領域における表示内容に係る機能種別との対応関係を示す表示動作は、所定の条件で次のように行われる。即ち、機能針５８により機能種別を示す標識を順番に指し示させながら、当該指し示されている機能種別に係る表示を行っている表示領域に対応する指針のうち少なくとも何れか一本に報知動作を行わせる。このように、複数の表示領域で互いに異なる機能に係る表示が同時並列的に行われ、且つ、各表示領域で表示させる内容の機能種別を適宜選択し、入れ替えることが可能となっている場合でも、指針やステッピングモータを追加せずにこれらの表示領域における表示内容の機能種別を容易に表示させることが出来る。従って、どの表示領域に何れの機能種別に係る表示を行わせているかを容易にユーザに示すことが出来る。
【００４７】
また、特に、操作部３８への入力操作に基づいて各表示領域に表示させている内容の機能種別を適宜変更することが出来るので、複数の機能に係る必要な表示を同時並列的に行わせることが出来、このときにユーザがどの表示領域で何れの機能種別に係る表示を行わせているかを容易に確認することが出来る。
【００４８】
また、複数の情報を表示させたまま表示位置を入れ換えて一番重要な情報をセンター表示で行わせるといった利便性を確保しつつ、当該複数の情報が何れの表示領域で行われているかを容易に確認することが出来る。特に、秒針５３が設けられているセンター表示でストップウォッチ表示を行わせることで、例えば、秒針５３により１／２０秒単位の表示を行わせることも可能になるので、このアナログ電子時計１００は、必要な情報精度に応じて表示領域を切り替える利便性を備え、且つ、何れの表示領域でどの機能種別に係る表示を行わせているかを容易に示すことが出来る。
【００４９】
また、各表示領域における表示内容の機能種別が変更された場合に、当該変更内容について確認表示がなされるので、ユーザは、正しく表示位置が変更されたか否かについて容易に確認することが出来る。
【００５０】
また、変更した後長い時間が経過した場合などに、ユーザがどのような変更を行ったかを覚えていない場合でも、操作部３８への確認動作の命令入力によって容易に各表示領域の表示内容の機能種別を容易に確認することが出来るので、わざわざユーザが一度表示領域の変更動作を行うことにより確認を行わなくても良い。
【００５１】
また、表示領域４、５に同一の目盛を設けることで、何れの表示領域にも所望の機能に係る表示を行わせることが出来る。
【００５２】
また、表示領域６には、機能針５８が設けられ、各機能種別を示す標識が必要に応じてこの機能針５８により指し示される構成であるので、容易な構成で且つ素早く各表示領域に表示された内容の機能種別を表示させることが出来る。
【００５３】
なお、本発明は、上記実施の形態に限られるものではなく、様々な変更が可能である。
例えば、上記実施の形態では、センター表示領域に３本、表示領域４、５にそれぞれ２本ずつの指針が設けられたが、指針の本数はこれらに限られない。各機能種別に係る表示内容を表示領域間で入れ換えても表示可能である限り、適宜指針の本数を変更することが出来る。
【００５４】
また、上記実施の形態では、センター表示領域の３本の指針が独立駆動され、表示領域４、５のそれぞれ２本の指針が連動して駆動される構成を例に挙げて説明したが、これに限られない。異なる表示領域の指針が独立に駆動可能である限りにおいて、アナログ電子時計１００のケーシング２の内部に配置可能なステッピングモータや輪列機構の数、及び、アナログ電子時計１００のサイズに応じて適宜変更することが可能である。
【００５５】
また、上記実施の形態では、表示可能な機能種別として、現在時刻表示機能、世界時計表示機能、及び、ストップウォッチ機能を例に挙げて説明したが、これらに限られない。他の機能に係る表示、例えば、アラーム機能、タイマー機能、その他の計測センサにより計測された値や方向の表示機能に用いられても良い。
【００５６】
また、上記実施の形態では、例に挙げた３機能の表示位置を順番に入れ換える場合について説明したが、順番通りの変更でなくても良い。例えば、ストップウォッチ機能の表示領域と現在時刻表示の表示領域とを入れ換えるのみの動作などに対応させても良い。
【００５７】
また、４種類以上の複数の機能の中から任意の３種類の機能に係る表示を選択して各表示領域で表示させることとしても良い。また、表示領域の数は、３に限られず、他の数でも良い。
【００５８】
また、上記実施の形態では、機能針５８を用いて説明したが、表示盤３に設けられた小窓から一の機能種別を示す標識が露出される回転板を用いても良い。
【００５９】
また、上記実施の形態では、表示盤３上に表示領域４、５が設けられる構成を例に挙げて説明したが、表示面内に独立の３つの表示領域が別個に設けられる構成であっても良い。
【００６０】
また、上記実施の形態では、センター表示領域の表示に係る報知動作として、秒針５３を往復早送り運動させる場合を例に挙げて説明したが、他の動作パターン、例えば、逆転方向に所定ステップ移動させた後に正転方向に同ステップ移動させるだけの動作パターンでも良い。また、秒針５３ではなく、分針５２又は時針５１に報知動作を行わせても良いし、これらの指針のうち２本以上の動作の組み合わせにより報知を行わせても良い。
その他、上記実施の形態で示した具体的な細部は、本発明の趣旨を逸脱しない範囲において適宜変更可能である。
【００６１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６２】
［付記］
＜請求項１＞
複数の所定数の表示領域に対応してそれぞれ設けられた指針と、
所定の機能に係る表示と、前記表示領域に表示されている内容の機能種別を示す表示とを選択的に行う機能表示部と、
少なくとも前記所定数の表示領域に対応する前記指針ごとに個別に動作させる指針駆動手段と、
前記機能表示部を動作させる機能表示駆動手段と、
機能種別と、当該機能種別に係る表示を行わせる前記表示領域とを対応付けた表示設定を記憶する記憶手段と、
前記表示設定が変更された場合に、前記指針駆動手段を動作させて、前記表示設定に応じて前記所定数の表示領域の表示内容を変更させる表示種別変更制御手段と、
所定の条件で前記機能表示駆動手段を動作させて、前記所定数の表示領域でそれぞれ表示されている内容の機能種別を前記機能表示部に順番に示させると共に、前記指針駆動手段を動作させて、前記機能表示部が示している機能種別に係る表示を行っている前記表示領域に対応する前記指針のうち少なくとも一本に所定の報知動作を行わせる表示種別報知制御手段と
を備えることを特徴とするアナログ電子時計。
＜請求項２＞
ユーザ操作を受け付ける操作手段と、
当該操作手段への入力操作に応じて前記記憶手段に記憶された前記表示設定を変更する表示種別変更設定手段と
を備えることを特徴とする請求項１記載のアナログ電子時計。
＜請求項３＞
前記表示種別変更設定手段は、前記操作手段への入力操作に応じて、前記表示設定として記憶された前記所定数の表示領域と、前記所定数の機能種別との対応関係を入れ換えることを特徴とする請求項２記載のアナログ電子時計。
＜請求項４＞
前記所定の条件には、前記表示種別変更制御手段により前記所定数の表示領域における表示内容が変更されることが含まれることを特徴とする請求項１〜３の何れか一項に記載のアナログ電子時計。
＜請求項５＞
ユーザ操作を受け付ける操作手段を備え、
前記所定の条件には、当該操作手段への所定の入力操作が検出されることが含まれる
ことを特徴とする請求項１〜４の何れか一項に記載のアナログ電子時計。
＜請求項６＞
前記所定数の表示領域は、一の表示盤上に形成され、当該所定数の表示領域のうち少なくとも二つには、同一の目盛が設けられていることを特徴とする請求項１〜５の何れか一項に記載のアナログ電子時計。
＜請求項７＞
前記機能表示部は、回動可能に設けられた機能指針と、当該機能指針で指し示される複数の機能標識とを有することを特徴とする請求項１〜６の何れか一項に記載のアナログ電子時計。
【符号の説明】
【００６３】
２     ケーシング
３     表示盤
４〜６ 表示領域
７     小窓
３１   ＣＰＵ
３２   ＲＯＭ
３３   ＲＡＭ
３４   発振回路
３５   分周回路
３６   時刻計数回路
３７   電源部
３８   操作部
３９   モータ駆動回路
５１   時針
５２   分針
５３   秒針
５４   第一短小針
５５   第一長小針
５６   第二短小針
５７   第二長小針
５８   機能針
５９   日車
６１〜６９    輪列機構
７１〜７３    ステッピングモータ
７５   ステッピングモータ
７７   ステッピングモータ
７８   ステッピングモータ
７９   ステッピングモータ
１００ アナログ電子時計
３８１ りゅうず
３８２、３８３       押しボタンスイッチ
【図１】
2014182047.tif 000003
【図２】
2014182047.tif 000004
【図３】
2014182047.tif 000005
【図４】
2014182047.tif 000006
【図５】
2014182047.tif 000007
【図６】
2014182047.tif 000008